(57)【要約】      （修正有）【課題】着用物の着用者にとってより適正な着用物サイズを簡易に取得できる着用物サイズ取得システム、着用物サイズ取得プログラム、及び着用物選択支援方法を提供する。【解決手段】顧客が着用する衣服の大きさを示す衣服サイズが対応付けられた複数の体組成データと計測装置が計測した顧客の体組成データとに基づいて、顧客の衣服サイズを推定し、推定した衣服サイズの顧客に対する適正度を演算し、端末装置に表示された推定衣服サイズと適性度を店員が確認し、顧客へ衣服の選択支援を行う。【選択図】図２
2020190043.tif 000002
【特許請求の範囲】
【請求項１】
推定対象者の生体情報を示す対象者生体情報を取得する生体情報取得手段と、
前記推定対象者が着用する着用物の大きさを示す着用物サイズが対応付けられた複数の生体情報を記憶した記憶手段と、
前記生体情報取得手段が取得した前記対象者生体情報と前記記憶手段に記憶された複数の前記生体情報とに基づいて、前記推定対象者の前記着用物サイズを推定する着用物サイズ推定手段と、
を備える着用物サイズ取得システム。
【請求項２】
前記着用物サイズ推定手段は、前記記憶手段に記憶された複数の前記生体情報のうち、前記対象者生体情報に対して近傍である前記生体情報に対応する前記着用物サイズを前記推定対象者の前記着用物サイズとして推定する請求項１記載の着用物サイズ取得システム。
【請求項３】
前記着用物サイズ推定手段で推定した前記着用物サイズの前記推定対象者に対する適正度を演算する適正度演算手段を備える請求項１又は請求項２記載の着用物サイズ取得システム。
【請求項４】
前記適正度演算手段は、前記記憶手段に記憶された複数の前記生体情報に基づいて、前記着用物サイズ推定手段によって推定された前記着用物サイズが前記推定対象者の前記着用物サイズである確率を、前記適性度として演算する請求項３記載の着用物サイズ取得システム。
【請求項５】
前記適正度演算手段は、前記記憶手段に記憶された複数の前記生体情報のうち、前記対象者生体情報を基準とした所定範囲に含まれる前記生体情報に対応付けられた前記着用物サイズの割合又は分布から前記確率を演算する請求項４記載の着用物サイズ取得システム。
【請求項６】
前記適正度演算手段は、前記推定手段によって推定された前記着用物サイズにおける前記生体情報の代表値と前記対象者生体情報との差、又は推定された前記着用物サイズにおける寸法の代表値と前記対象者生体情報から得られる寸法との差である修正度を、前記適性度として演算する請求項３から請求項５の何れか１項記載の着用物サイズ取得システム。
【請求項７】
前記適正度演算手段は、前記記憶手段に記憶された複数の前記生体情報に基づいて、前記着用物サイズ推定手段によって推定された前記着用物サイズが前記推定対象者の前記着用物サイズである確率を演算し、
前記適正度演算手段は、前記生体情報と前記確率とに基づいて前記代表値を算出する請求項６記載の着用物サイズ取得システム。
【請求項８】
前記着用物サイズ推定手段によって推定された前記推定対象者の前記着用物サイズは、画像表示手段に表示される請求項１から請求項７の何れか１項に記載の着用物サイズ取得システム。
【請求項９】
以前に取得された前記対象者生体情報と新たに取得された前記対象者生体情報とに基づいて、前記推定対象者の前記着用物サイズが変化する時期を推定するサイズ変化時期推定手段
を備える請求項１から請求項８の何れか１項記載の着用物サイズ取得システム。
【請求項１０】
前記着用物は、前記推定対象者の衣服である請求項１から請求項９の何れか１項記載の着用物サイズ取得システム。
【請求項１１】
前記記憶手段は、各々に着用物サイズが対応付けられた複数の生体情報をデータベースとして記憶し、
前記データベースは、前記着用物サイズが対応付けられた新たな前記生体情報が追加されて更新される請求項１から請求項１０の何れか１項記載の着用物サイズ取得システム。
【請求項１２】
前記対象者生体情報は、前記推定対象者の生体インピーダンスに基づいて体組成を計測する体組成計によって計測された生体情報であり、
前記生体情報は、脂肪率、脂肪量、除脂肪量、筋肉量、内臓脂肪量、内臓脂肪レベル、内蔵脂肪面積、皮下脂肪量、基礎代謝量、骨量、体水分率、ＢＭＩ、細胞内液量、細胞外液量の少なくとも１つの情報である、請求項１から請求項１１の何れか１項に記載の着用物サイズ取得システム。
【請求項１３】
コンピュータを、
推定対象者が着用する着用物の大きさを示す着用物サイズが対応付けられた複数の生体情報と生体情報取得手段が取得した前記推定対象者の生体情報とに基づいて、前記推定対象者の前記着用物サイズを推定する着用物サイズ推定手段と、
して機能させる着用物サイズ取得プログラム。
【請求項１４】
顧客が着用する着用物の大きさを示す着用物サイズが対応付けられた複数の生体情報と生体情報取得手段が取得した前記顧客の生体情報とに基づいて、前記顧客の前記着用物サイズを推定する第１工程と、
前記第１工程で推定された前記着用物サイズを店舗の情報処理装置によって出力する第２工程と、
前記情報処理装置によって出力された前記着用物サイズを店員が確認し、前記顧客に対する前記着用物の選択支援を行う第３工程と、
を有する着用物選択支援方法。
【発明の詳細な説明】
【技術分野】
【０００１】
本発明は、着用物サイズ取得システム、着用物サイズ取得プログラム、及び着用物選択支援方法に関する。
【背景技術】
【０００２】
人が着用する衣服等の着用物のサイズは、身長、腹囲、肩幅等の情報に基づいて決定される。このため、店舗で衣服を購入する場合には、店員によって購入者の腹囲や肩幅等の計測が行われるが、これらの計測は店員にとって煩雑な作業である。また、購入者自身が、他者の補助なしに腹囲や肩幅等の計測を行うことも難しい。一方で、身長や体重のような全身に関する値であれば、比較的簡易に計測が可能である。しかしながら、一般的に衣服は、ジャケットやパンツのように上半身又は下半身に着用するものであるため、全身に関する計測値では衣服サイズを正確に判断できない。
【０００３】
そこで、特許文献１に開示されているように、身体の外形の３次元形状を表す身体形状データを取得し、対象者の身体情報を取得する装置が開発されている。
【０００４】
特許文献１に開示されている身体情報取得装置は、身体形状データにより表される対象者の身体の３次元形状を平行投影した平行投影像を生成し、身体形状データに対し、身体情報を取得すべき１つ以上の特定Ｙ位置を設定し、特定Ｙ位置におけるＹ軸に直交する方向の平行投影像の長さを、対象者の身体情報の１つとして取得する。
【先行技術文献】
【特許文献】
【０００５】
【特許文献１】特開２０１６−１２３５８９号公報
【発明の概要】
【発明が解決しようとする課題】
【０００６】
しかしながら、特許文献１に開示されているような身体の３次元形状を計測する方法では、計測部位が多く、計測や演算処理に時間を要し煩雑であり、被計測者が衣服を着用していると被計測者の体計情報を正しく取得できない。また、身体の３次元形状を計測するためには、例えば人をスキャンできる３Ｄスキャナ等を必要とし新たな設備投資を必要とする。
【０００７】
そこで、本発明は、着用物の着用者にとってより適正な着用物サイズを簡易に取得できる着用物サイズ取得システム、着用物サイズ取得プログラム、及び着用物選択支援方法を提供することを目的とする。
【課題を解決するための手段】
【０００８】
本発明の一態様の着用物サイズ取得システムは、推定対象者の生体情報を示す対象者生体情報を取得する生体情報取得手段と、前記推定対象者が着用する着用物の大きさを示す着用物サイズが対応付けられた複数の生体情報を記憶した記憶手段と、前記生体情報取得手段が取得した前記対象者生体情報と前記記憶手段に記憶された複数の前記生体情報とに基づいて、前記推定対象者の前記着用物サイズを推定する着用物サイズ推定手段と、を備える。
【０００９】
この構成により、推定対象者の生体情報を示す対象者生体情報に基づいて、推定対象者の着用物サイズが推定されるので、本構成によれば、着用物の着用者にとってより適正な着用物サイズを簡易に取得できる。
【００１０】
上記の着用物サイズ取得システムにおいて、前記着用物サイズ推定手段は、前記記憶手段に記憶された複数の前記生体情報のうち、前記対象者生体情報に対して近傍である前記生体情報に対応する前記着用物サイズを前記推定対象者の前記着用物サイズとして推定してもよい。
【００１１】
この構成により、推定対象者の生体情報を示す対象者生体情報から推定対象者の着用物サイズを簡易に推定できる。
【００１２】
上記の着用物サイズ取得システムにおいて、前記着用物サイズ推定手段で推定した前記着用物サイズの前記推定対象者に対する適正度を演算する適正度演算手段を備える。
【００１３】
この構成により、推定された着用物サイズの着用物が推定対象者に合うか否かを判断可能となる。
【００１４】
上記の着用物サイズ取得システムにおいて、前記適正度演算手段は、前記記憶手段に記憶された複数の前記生体情報に基づいて、前記着用物サイズ推定手段によって推定された前記着用物サイズが前記推定対象者の前記着用物サイズである確率を、前記適性度として演算してもよい。
【００１５】
この構成により、推定された着用物サイズが適正であるか否かを簡易に判断できる。
【００１６】
上記の着用物サイズ取得システムにおいて、前記適正度演算手段は、前記記憶手段に記憶された複数の前記生体情報のうち、前記対象者生体情報を基準とした所定範囲に含まれる前記生体情報に対応付けられた前記着用物サイズの割合又は分布から前記確率を演算してもよい。
【００１７】
この構成により、推定された着用物サイズが適正であるか否かを簡易に判断できる。
【００１８】
上記の着用物サイズ取得システムにおいて、前記適正度演算手段は、前記推定手段によって推定された前記着用物サイズにおける前記生体情報の代表値と前記対象者生体情報との差、又は推定された前記着用物サイズにおける寸法の代表値と前記対象者生体情報から得られる寸法との差である修正度を、前記適性度として演算してもよい。
【００１９】
この構成により、推定された着用物サイズが適正であるか否かを簡易に判断できる。
【００２０】
上記の着用物サイズ取得システムにおいて、前記適正度演算手段は、前記記憶手段に記憶された複数の前記生体情報に基づいて、前記着用物サイズ推定手段によって推定された前記着用物サイズが前記推定対象者の前記着用物サイズである確率を演算し、前記適正度演算手段は、前記生体情報と前記確率とに基づいて前記代表値を算出してもよい。
【００２１】
この構成により、推定された着用物サイズが推定対象者の着用物サイズである確率を用いて代表値を算出するので、推定された着用物サイズが適正であるか否かがより精度良く判断できる。
【００２２】
上記の着用物サイズ取得システムにおいて、前記着用物サイズ推定手段によって推定された前記推定対象者の前記着用物サイズは、画像表示手段に表示されてもよい。
【００２３】
この構成により、推定対象者は自身に適した着用物サイズを確認できる。
【００２４】
上記の着用物サイズ取得システムにおいて、以前に取得された前記対象者生体情報と新たに取得された前記対象者生体情報とに基づいて、前記推定対象者の前記着用物サイズが変化する時期を推定するサイズ変化時期推定手段が備えられてもよい。
【００２５】
この構成により、推定対象者は自身の体型の変化とこれに伴う適切な着用物サイズを認識できる。
【００２６】
上記の着用物サイズ取得システムにおいて、着用物は、前記推定対象者の衣服でもよい。
【００２７】
この構成により、推定対象者にとってより適正な衣服サイズを簡易に取得できる。
【００２８】
上記の着用物サイズ取得システムにおいて、前記記憶手段は、各々に着用物サイズが対応付けられた複数の生体情報をデータベースとして記憶し、前記データベースは、前記着用物サイズが対応付けられた新たな前記生体情報が追加されて更新されてもよい。
【００２９】
この構成により、データベースは逐次更新され、推定対象者の着用物サイズの推定精度を向上できる。
【００３０】
上記の着用物サイズ取得システムにおいて、前記対象者生体情報は、前記推定対象者の生体インピーダンスに基づいて体組成を計測する体組成計によって計測された生体情報であり、前記生体情報は、脂肪率、脂肪量、除脂肪量、筋肉量、内臓脂肪量、内臓脂肪レベル、内蔵脂肪面積、皮下脂肪量、基礎代謝量、骨量、体水分率、ＢＭＩ、細胞内液量、細胞外液量の少なくとも１つの情報でもよい。
【００３１】
この構成により、生体インピーダンスから算出される生体情報から推定対象者の着用物サイズを推定できる。
【００３２】
本発明の一態様の着用物サイズ取得プログラムは、コンピュータを、推定対象者が着用する着用物の大きさを示す着用物サイズが対応付けられた複数の生体情報と生体情報取得手段が取得した前記推定対象者の生体情報とに基づいて、前記推定対象者の前記着用物サイズを推定する着用物サイズ推定手段と、して機能させる。
【００３３】
本構成によれば、着用物の着用者にとってより適正な着用物サイズを簡易に取得できる。
【００３４】
本発明の一態様の着用物選択支援方法は、顧客が着用する着用物の大きさを示す着用物サイズが対応付けられた複数の生体情報と生体情報取得手段が取得した前記顧客の生体情報とに基づいて、前記顧客の前記着用物サイズを推定する第１工程と、前記第１工程で推定された前記着用物サイズを店舗の情報処理装置に表示する第２工程と、前記情報処理装置に表示された前記着用物サイズを店員が確認し、前記顧客に対する前記着用物の選択支援を行う第３工程と、を有する。
【００３５】
本構成によれば、着用物を顧客に提供する店舗の店員は、着用物の選択支援を要する顧客を認識することができるので、効率良く業務を行える。
【発明の効果】
【００３６】
本発明によれば、着用物の着用者にとってより適正な着用物サイズを簡易に取得できる。
【図面の簡単な説明】
【００３７】
【図１】図１は、本発明の第１実施形態の着用物サイズ取得システムを示す図である。
【図２】図２は、本発明の第１実施形態の着用物サイズ取得システムの機能ブロック図である。
【図３】図３は、本発明の第１実施形態の衣服サイズデータベースの模式図である。
【図４】図４は、本発明の第１実施形態の着用物サイズ取得方法のフローチャートである。
【図５】図５は、本発明の第２実施形態の着用物サイズ取得システムを示す図である。
【図６】図６は、本発明の第２実施形態の着用物サイズ取得システムの機能ブロック図である。
【図７】図７は、本発明の第２実施形態の着用物サイズ取得方法のフローチャートである。
【発明を実施するための形態】
【００３８】
以下、図面を参照して本発明の実施形態を説明する。なお、以下に説明する実施形態は、本発明を実施する場合の一例を示すものであって、本発明を以下に説明する具体的構成に限定するものではない。本発明の実施にあたっては、実施形態に応じた具体的構成が適宜採用されてよい。
【００３９】
（第１実施形態）
本実施形態では着用物を一例として衣服とし、本発明の着用物サイズ取得システムは衣服を販売する店舗で用いられるものとする。なお、衣服は、例えば、シャツ、ジャケット、ズボン、スカート、コート、及び下着等であり、上半身、下半身、又は全身に着用するものであれば特に限定されない。図１は、本実施形態の着用物サイズ取得システムを示す図である。本実施形態では、着用物サイズ取得システム１０は、計測装置１２、情報処理装置である店舗端末１４、及びサーバ１６を備える。
【００４０】
計測装置１２は、被計測者の生体インピーダンスに基づいて体組成を計測する体組成計である。本実施形態の計測装置１２は、衣服を販売する店舗毎に設置され、衣服の購入者（以下「顧客」という。）によって使用され、顧客の体組成を計測する。すなわち、本実施形態の被計測者は、顧客であり、後述する推定衣服サイズが推定される推定対象者である。
【００４１】
本実施形態の計測装置１２は、タッチパネルディスプレイ２０と本体部３０とを備えている。タッチパネルディスプレイ２０は、本体部３０から立ち上がる支柱の上端部に設けられる。また、本体部３０には、被計測者が乗る載台３２、右ハンドグリップ３３Ｒ及び左ハンドグリップ３３Ｌが設けられている。そして、被計測者は、裸足で載台３２の上に立ち、右手で右ハンドグリップ３３Ｒを握り、左手で左ハンドグリップ３３Ｌを握ることで体組成を計測する。以下に計測装置１２の詳細について説明する。
【００４２】
タッチパネルディスプレイ２０は、液晶ディスプレイパネル等の表示パネル２１と、表示パネル２１と一体となってタッチ入力を受け付けるタッチセンサ等の入力装置２２とを備えている。なお、入力装置２２として、表示パネル２１とは独立したボタン、スイッチ等の入力装置が用いられてもよい。表示パネル２１には、計測装置１２による計測結果、及び詳細を後述する衣服サイズの推定結果（以下「衣服サイズ推定結果」という。）が表示される。
【００４３】
本体部３０は、上述の載台３２、右ハンドグリップ３３Ｒ、左ハンドグリップ３３Ｌと共に、体組成測定部３１と体重測定部３４とを備えている。載台３２は、右足通電電極３２１Ｒと、右足測定電極３２２Ｒと、左足通電電極３２１Ｌと、左足測定電極３２２Ｌとを備えている。また、右ハンドグリップ３３Ｒは、右手通電電極３３１Ｒと、右手測定電極３３２Ｒとを備え、左ハンドグリップ３３Ｌは、左手通電電極３３１Ｌと、左手測定電極３３２Ｌとを備えている。
【００４４】
体重測定部３４は、体重を計測するためのロードセルを備えている。ロードセルは荷重に応じて変形する金属部材の起歪体と、起歪体に貼られる歪みゲージとによって構成される。ユーザが載台３２の上に乗ると、ユーザの荷重によってロードセルの起歪体が撓んで歪ゲージが伸縮する。歪みゲージの抵抗値（出力値）は、その伸縮に応じて変化する。体組成測定部３１は、荷重がかかっていないときのロードセルの出力値（ゼロ点）と荷重がかかったときの出力値との差から体重を演算する。なお、ロードセルを用いた体重の測定に関する構成は、一般の体重計と同様の構成を用いればよい。
【００４５】
体組成測定部３１には、被計測者の生体情報として、年齢、性別、身長が入力される。これらの生体情報は、タッチパネルディスプレイ２０を介して体組成測定部３１に入力される。なお、体組成測定部３１には、他の装置が備える手段によって取得された生体情報が入力されてもよい。例えば、他の装置は、被計測者をカメラによって撮像した画像を解析等して被計測者の身長、年齢、性別等を推定する装置であり、体組成測定部３１にはこの推定結果が生体情報として入力されてもよい。また、身長、年齢、性別だけでなく、被計測者の他の生体情報が体組成測定部３１に入力されてもよい。
【００４６】
体組成測定部３１は、各通電用電極から被計測者の身体の所定部位に所定の周波数の微弱な電流を流す電流供給機能と、電流経路に生じる電位差を測定する電位差測定機能と、このような電流及び電位差の各値に基づいて、ユーザの全身及び各身体部位の生体インピーダンスを算出する生体インピーダンス算出機能とを備えている。
【００４７】
体組成測定部３１による被計測者の全身及び各身体部位の生体インピーダンスの測定は、例えば以下のようにして行う。
（１）全身の生体インピーダンスの測定では、左手通電電極３３１Ｌ及び左足通電電極３２１Ｌを用いて電流を供給し、左手、左腕、胸部、腹部、左脚部、左足を流れる電流経路において、その左手に接触している左手測定電極３３２Ｌと左足に接触している左足測定電極３２２Ｌとの間の電位差を測定する。
（２）右脚の生体インピーダンスの測定では、右手通電電極３３１Ｒ及び右足通電電極３２１Ｒを用いて電流を供給し、右手、右腕、胸部、腹部、右脚部、右足を流れる電流経路において、その左足に接触している左足測定電極３２２Ｌと右足に接触している右足測定電極３２２Ｒとの間の電位差を測定する。
（３）左脚の生体インピーダンスの測定では、左手通電電極３３１Ｌ及び左足通電電極３２１Ｌを用いて電流を供給し、左手、左腕、胸部、腹部、左脚部、左足を流れる電流経路において、その左足に接触している左足測定電極３２２Ｌと右足に接触している右足測定電極３２２Ｒとの間の電位差を測定する。
（４）右腕の生体インピーダンスの測定では、右手通電電極３３１Ｒ及び右足通電電極３２１Ｒを用いて電流を供給し、右手、右腕、胸部、腹部、右脚部、右足を流れる電流経路において、その左手に接触している左手測定電極３３２Ｌと右手に接触している右手測定電極３３２Ｒとの間の電位差を測定する。
（５）左腕の生体インピーダンスの測定では、左手通電電極３３１Ｌ及び左足通電電極３２１Ｌを用いて電流を供給し、左手、左腕、胸部、腹部、左脚部、左足を流れる電流経路において、その左手に接触している左手測定電極３３２Ｌと右手に接触している右手測定電極３３２Ｒとの間の電位差を測定する。
【００４８】
体組成測定部３１は、入力された被計測者の生体情報と、体重測定部３４で測定された体重と、算出された各生体インピーダンスを所定の回帰式に適用して演算することで、全身及び身体部位ごとの体組成測定値を算出する。体組成測定部３１は、体組成測定値として、脂肪率、脂肪量、除脂肪量、筋肉量、内臓脂肪量、内臓脂肪レベル、内蔵脂肪面積、皮下脂肪量、基礎代謝量、骨量、体水分率、ＢＭＩ、細胞内液量、細胞外液量を算出する。体組成測定値の演算に関する構成も、一般の体組成計と同様の構成を用いることができる。なお、以下の説明では、体組成測定部３１に入力された被計測者の生体情報や体組成測定部３で算出された体組成測定値を総称して対象者生体情報又は体組成データという。
【００４９】
計測装置１２は、上述のように被計測者が裸足となって計測が行われることが好ましいが、本実施形態の計測装置１２は店舗の顧客が使用するため、必ずしも裸足で本体部３０に乗る必要は無く、例えば、靴下を着用した状態又は靴を着用した状態で本体部３０に乗って計測が行われてもよい。この場合、右脚及び左脚の通電電極及び測定電極を用いた生体インピーダンスの測定はされずに、被計測者の生体情報が取得される。このように、計測装置１２は、右手、左手、右脚及び左脚の通電電極及び測定電極の全てを用いた生体インピーダンスの測定が必須ではなく、右手、左手、右脚及び左脚の中から少なくとも２箇所以上の通電電極及び測定電極を用いて生体インピーダンスを測定してもよい。
【００５０】
また、計測装置１２は、サーバ１６等、他の情報処理装置との通信機能を有しており、計測装置１２による計測結果をサーバ１６へ送信したり、サーバ１６からの衣服サイズ推定結果を受信する。
【００５１】
次に、店舗端末１４及びサーバ１６の構成について説明する。
【００５２】
店舗端末１４は、タッチパネルディスプレイ１５、アプリケーションプログラムを実行可能なコンピュータ、フラッシュメモリ等の内部ストレージ、各種のコネクタ等を備える情報処理装置である。また、店舗端末１４は、インターネットに接続するための無線通信デバイス、近くの他デバイスに接続するための近距離通信デバイスを備えており、サーバ１６からの衣服サイズ推定結果を受信し、タッチパネルディスプレイ１５に表示する。なお、店舗端末１４は、店舗の店員によって所持され、一例として、スマートフォンやタブレット端末等の携帯型情報処理装置とするが、これに限らず、デスクトップ型又はラップトップ型のパソコン等、他の情報処理装置としてもよい。
【００５３】
サーバ１６は、プログラムを実行可能なＣＰＵ（Central Processing Unit）等のコンピュータ、ＨＤＤ（Hard Disk Drive）等の記憶装置、インターネットやイントラネットに接続するための通信装置、各種のコネクタ等を備える情報処理装置である。本実施形態のサーバ１６は、計測装置１２や店舗端末１４とのデータの送受信が可能とされており、計測装置１２から受信した対象者生体情報に基づいて顧客の衣服サイズ等を推定し、衣服サイズ推定結果を計測装置１２と店舗端末１４へ送信する。なお、サーバ１６は、各店舗に設置されてもよいし、複数の店舗が存在する所定エリア毎に設置されてもよい。
【００５４】
図２は、本実施形態の着用物サイズ取得システム１０の機能ブロック図である。着用物サイズ取得システム１０は、記憶部５０、体組成データ取得部５２、衣服サイズ推定部５４、適性度演算部５６、推定結果送信部５８、及びデータベース更新部６０を備える。なお、本実施形態において、図２に示される各機能は一例としてサーバ１６が備えるコンピュータによって実行される。なお、図２に示される着用物サイズ取得システム１０の各部はＡＳＩＣ（Application Specific Integrated Circuit）等の個別のハードウェアによって実現されてもよい。なお、以下の説明では、計測装置１２の被計測者を推定対象者という。
【００５５】
記憶部５０は、推定対象者が着用する衣服の大きさを示す衣服サイズ（サイズデータ）が対応付けられた複数の生体情報（体組成データ）を記憶する。具体的には、記憶部５０は、各々にサイズデータが対応付けられた複数の体組成データをサイズデータベース６２として記憶する。
【００５６】
下記数式（１）〜（３）は、サイズデータベース６２を表した数式であり、ＤＢはデータベースを示し、ＢＣは体組成データを示し、ＣＳはサイズデータを示す。また、ｎは整数であり、ｎの値が同じ体組成データとサイズデータとは対応関係にある。このように、サイズデータベース６２は、体組成データとサイズデータの組み合わせをｎ個有する集合である。
【００５７】
【数１】
2020190043.tif 000003
【００５８】
図３は、サイズデータベース６２を模式的に表した図である。図３のサイズデータベース６２は、一例として、体組成データ毎に衣服サイズが対応付けられている。なお、サイズデータベース６２は、一例として２種類の体組成データ要素Ｘ，Ｙの組み合わせを各体組成データとし、図３では各体組成データの値が（Ｘｎ，Ｙｎ）として表現されている。なお、図３の黒丸で示される（ＸＯ，ＹＯ）は、計測装置１２で取得された対象者生体情報であり、サイズデータベース６２に含まれない。
【００５９】
体組成データ要素Ｘ，Ｙは、例えば、脂肪率、脂肪量、除脂肪量、筋肉量、内臓脂肪量、内臓脂肪レベル、内蔵脂肪面積、皮下脂肪量、基礎代謝量、骨量、体水分率、ＢＭＩ、細胞内液量、細胞外液量の何れか２つである。また、サイズデータベース６２は、例えば、推定対象者の体重や身長毎に設けられてもよい。また、体組成データは、２種類の体組成データ要素Ｘ，Ｙの組み合わせに限らず、１種類の体組成データ要素Ｘ又は３種類以上の体組成データＸ，Ｙ，Ｚ，・・・の組み合わせとされ、各体組成データに衣服サイズが対応付けられればよい。また、体組成データ要素は、推定対象者が計測装置１２に入力可能な値や、計測装置１２で測定された生体インピーダンスから演算可能な他の値であれば他の値であってもよい。
【００６０】
本実施形態の衣服サイズは、一例として、Ｓ（Small）、Ｍ（Medium）、Ｌ（Large）等で表記されるサイズであるが、これに限らず、他の表記であってもよいし、腹囲、胸囲のような衣服のサイズ推定に用いられる数値、数値範囲や比であってもよい。また、衣服サイズは、例えば、Ｙ、Ａ及びＡＢといった着用者の体型に応じて変化するサイズであってもよく、ストレート、スリム及びブーツカットといった衣服の型であってもよい。
【００６１】
体組成データ取得部５２は、計測装置１２で取得された推定対象者の体組成データを示す対象者生体情報を、通信回線を介して取得する。
【００６２】
衣服サイズ推定部５４は、体組成データ取得部５２が取得した対象者生体情報と記憶部５０に記憶された複数の体組成データとに基づいて、推定対象者の衣服サイズを推定する。すなわち、衣服サイズ推定部５４は、体組成データを軸とした多次元空間において、推定対象者の体組成データとの関係が最も強い体組成データに対応するサイズデータを推定対象者の衣服サイズとして推定する。
【００６３】
本実施形態の衣服サイズ推定部５４は、一例として、記憶部５０に記憶された複数の体組成データ（Ｘｎ，Ｙｎ）のうち、対象者生体情報（ＸＯ，ＹＯ）に対して近傍である体組成データに対応する衣服サイズを推定対象者の衣服サイズとして推定する。これにより、推定対象者の体組成データを示す対象者生体情報から推定対象者の衣服サイズを簡易に推定できる。
【００６４】
なお、対象者生体情報（ＸＯ，ＹＯ）に対して近傍とされる体組成データ（Ｘｎ，Ｙｎ）は、下記で説明するように、複数の体組成データ（Ｘｎ，Ｙｎ）から所定の演算処理によって抽出される。この演算処置は、一例として、対象者生体情報（ＸＯ，ＹＯ）に対して最も近いとされる一つの体組成データ（Ｘｎ，Ｙｎ）を抽出する。しかしながら、演算処理は、必ずしも対象者生体情報（ＸＯ，ＹＯ）に対して最も近いとされる体組成データ（Ｘｎ，Ｙｎ）を抽出しなくてもよい。例えば、対応付けられている衣服サイズが適切でない体組成データ（Ｘｎ，Ｙｎ）が対象者生体情報（ＸＯ，ＹＯ）に対して最も近い場合には、当該体組成データ（Ｘｎ，Ｙｎ）を抽出しない演算処理が行われてもよい。
【００６５】
以下に、衣服サイズの推定方法（演算処理）の例について説明する。本実施形態では、推定方法（１）〜（３）を例示するが、衣服サイズの推定方法はこれに限定されない。
【００６６】
（１）ユークリッド距離に基づく推定
推定方法（１）では、対象者生体情報とのユークリッド距離が最も小さい体組成データに対応するサイズデータを推定対象者の衣服サイズとして推定する。下記数式（４）はユークリッド距離の算出式の一例である。
【００６７】
【数２】
2020190043.tif 000004
【００６８】
図３の例では、対象者生体情報（ＸＯ，ＹＯ）に対して体組成データ（Ｘ３，Ｙ３）が最もユークリッド距離が小さいため、衣服サイズは“Ｓ”と推定される。
【００６９】
（２）近傍データ群から推定
推定方法（２）では、対象者生体情報の近傍とされる体組成データの集合である近傍データ群（以下「クラスター」ともいう。）のうち、最も割合が多いサイズデータを推定対象者の衣服サイズとして推定する。近傍として採用するデータ数をｋとすると、近傍データ群ｋＤＢは下記数式（５）で表される。なお、クラスターの決定方法は特に限定されないが、例えば、対象者生体情報から予め定められたユークリッド距離内に含まれる体組成データとしてもよい。
【００７０】
【数３】
2020190043.tif 000005
【００７１】
そして、推定方法（２）は、数式（５）の中に含まれるサイズデータのうち、最も多いサイズデータを推定対象者の衣服サイズとして推定する。なお、ｋ＝１の場合は、対象者生体情報（ＸＯ，ＹＯ）に対して最も近傍のサイズデータＤ１が推定対象者の衣服サイズとして推定される。
【００７２】
また、下記数式（６）に示されるように、サイズデータは、対象者生体情報とのユークリッド距離によって重み付けされてもよい。Countmodify_xは、ｋＤＢに含まれる衣服サイズｘの数ｋｘにユークリッド距離を重み付けした値である。そして、Countmodify_xの値が最も大きいサイズデータが、推定対象者の衣服サイズとして推定される。
【００７３】
【数４】
2020190043.tif 000006
【００７４】
（３）密度準拠クラスターから推定
サイズデータベース６２に含まれる体組成データのうち、下記数式（７）〜（９）で表される条件を満たす体組成データの極大集合を一つのクラスター（密度準拠クラスター）とする。
【００７５】
【数５】
2020190043.tif 000007
【００７６】
そして、推定方法（３）では、対象者生体情報が含まれる密度準拠クラスターにおいて、最も多いサイズデータを推定対象者の衣服サイズとして推定する。
【００７７】
衣服サイズ推定部５４によって推定された衣服サイズ（以下「推定衣服サイズ」という。）は、適性度演算部５６に出力される。
【００７８】
適性度演算部５６は、推定衣服サイズの推定対象者に対する適正度を演算する。推定衣服サイズは、推定対象者の体組成データの対象者生体情報から推定されるため、推定結果が適正でない可能性もある。そこで、適性度演算部５６によって推定衣服サイズの適性度が算出され、この結果を顧客である推定対象者や店舗の店員が確認することで、推定された着用物サイズの着用物が推定対象者に合うか否かを判断できる。これにより、推定対象者は最適な衣服の選択が自身又は店員の援助によって可能となる。なお、本実施形態の適性度演算部５６は、一致確率演算部６４と修正度演算部６６を備える。
【００７９】
一致確率演算部６４は、記憶部５０に記憶された複数の体組成データに基づいて、推定衣服サイズが推定対象者の衣服サイズである確率（以下「一致確率」という。）を適正度として演算する。すなわち、一致確率とは、推定衣服サイズが推定対象者に適しているかを示す指標である。なお、推定衣服サイズが推定対象者により適しているほど、一致確率の値は大きくなる。
【００８０】
本実施形態の一致確率演算部６４は、一例として、記憶部５０に記憶された複数の体組成データのうち、対象者生体情報を基準とした所定範囲に含まれる体組成データに対応付けられた衣服サイズの割合又は分布から一致確率を演算する。これにより、適性度演算部５６は、推定衣服サイズが適正であるか否かを簡易に判断できる。
【００８１】
以下に、一致確率の演算方法の例について説明する。本実施形態では、下記演算方法（１），（２）を例示するが、これに限定されない。
【００８２】
（１）クラスターに含まれるサイズデータの割合から算出
対象者生体情報の属するクラスターのうち、推定衣服サイズと同じサイズデータの数をＮｔとし、推定衣服サイズと異なるサイズデータの数をＮｆとして、下記数式（１０）のように一致確率Ｐｔを算出する。
【００８３】
【数６】
2020190043.tif 000008
【００８４】
図３の例では、対象者生体情報（ＸＯ，ＹＯ）が含まれるクラスターが一点鎖線で示されている。そして、このクラスターに含まれるＳサイズとされる体組成データが７つであり、Ｍサイズとされる体組成データが２つであるため、推定衣服サイズ“Ｓ”の一致確率は約７８％とされる。
【００８５】
なお、クラスター内に推定衣服サイズとは異なる衣服サイズが複数種類含まれる場合もある。このような場合、異なる種類の衣服サイズ毎にクラスターに含まれる確率も算出される。具体的には、推定衣服サイズが“Ｍ”である場合には、衣服サイズが“Ｓ”の体組成データや“Ｌ”の体組成データがクラスター内に含まれる可能性もある。このような場合、一致確率演算部６４は、クラスター内に“Ｓ”の衣服サイズが含まれる確率と“Ｌ”の衣服サイズが含まれる確率も算出する。これにより、推定衣服サイズとは異なる衣服サイズの確率から、推定対象者の体形がＳサイズに近いＭサイズであるか、Ｌサイズに近いＭサイズであるのかが判定可能となる。
【００８６】
例えば、１０個の体組成データが含まれるクラスターにおいて衣服サイズが“Ｍ”となる体組成データが７つであり、“Ｓ”となる体組成データが１つであり、“Ｌ”となる体組成データが２つの場合には、このクラスターに属する対象者生体情報の推定衣服サイズは“Ｍ”となり、一致確率は７０％となる。また、“Ｓ”の衣服サイズの確率は１０％であり、“Ｌ”の衣服サイズの確率は２０％である。この場合、推定対象者の衣服サイズはＬサイズに近いＭサイズであると推定される。なお、例えば、“Ｓ”の衣服サイズの確率にはマイナスの符号が付され、“Ｌ”の衣服サイズの確率にはプラスの符号が付されて、衣服サイズ毎の確率が識別されてもよい。
【００８７】
（２）クラスターに含まれるサイズ毎の体組成データの分布の差異から算出
対象者生体情報の属するクラスターのうち、推定衣服サイズと同じサイズデータとされる体組成データの確率分布をｐｔとし、当該クラスターの体組成データの確率分布をｐとしたときの分布の差異KL(pt||p)は下記数式（１１）で表される。そして、差異KL(pt||p)を用いた下記数式（１２）で一致確率Ｐｔを算出する。
【００８８】
【数７】
2020190043.tif 000009
【数８】
2020190043.tif 000010
【００８９】
一方、修正度演算部６６は、推定衣服サイズにおける体組成データの代表値と対象者生体情報との差、又は推定衣服サイズにおける寸法（以下「推定寸法」という。）の代表値と対象者生体情報から得られる寸法（以下「対象者生体情報寸法」という。）との差である修正度を適性度として演算する。すなわち、修正度とは、推定衣服サイズに適した代表的な体形に対して、推定対象者の体形がどの程度離れているかを示す指標である。これにより、適性度演算部５６は、推定衣服サイズが適正であるか否かを簡易に判断できる。
【００９０】
ここで、推定衣服サイズにおける体組成データや推定寸法の代表値は、一例として、予めサイズデータベース６２に記憶されている。また、対象者生体情報寸法は、例えば、体組成データと基準体形データとを対応付けて記憶したデータベースから対象者生体情報に対応する体形データを取得することで得られる。
【００９１】
そして、修正度は、一例として、下記数式（１３）のように表される。
【００９２】
【数９】
2020190043.tif 000011
【００９３】
サイズｍとは、推定衣服サイズであり、本実施形態では“Ｓ”、“Ｍ”、“Ｌ”の何れかである。また、BCm,medはサイズｍにおける推定寸法の代表値とし、BCtは対象者生体情報寸法としてもよい。
【００９４】
なお、BCm,medを体組成データの代表値とし、BCtを対象者生体情報とした場合、修正度Mm,tは一例として、百分率（％）で表され、この値が大きいほど修正が必要とされる。また、BCm,medを推定寸法の代表値とし、BCtを対象者生体情報寸法とした場合、修正度Mm,tは一例として、長さ（ｃｍ）で表され、この値が大きいほど修正が必要とされる。
【００９５】
また、修正度演算部６６は、算出した修正度が所定の閾値以上である場合に、推定衣服サイズに“修正が必要”であることを示すラベルを付し、修正度が上記閾値未満である場合に“修正は不必要”であることを示すラベルを付してもよい。“修正が必要”とされる場合は、後述するように店員による衣服の選択補助が行われる。さらに、修正度は計測装置１２のタッチパネルディスプレイ２０に表示され、推定対象者が確認可能とされ、修正度を確認した推定対象者がタッチパネルディスプレイ２０を介して自身で修正の要否を選択してもよい。
【００９６】
また、推定寸法の代表値は、上述のようにサイズデータベース６２から取得するが、これに限らず、体組成データと上述した一致確率とに基づいて算出されてもよい。従来技術として、予め定められた関数に対して体組成データを変数として入力することで推定寸法の代表値を算出することも可能である。しかしながら、この関数は統計的手法により得られたものであり、この統計に奇異なデータも含んだ関数となる可能性もあり、当該関数を用いた代表値の算出では代表値の推定精度が下がる可能性がある。
【００９７】
そこで、一致確率を用いて統計的に出現率が高いデータと低いデータとに重み付けを行って推定寸法の代表値を算出することで、推定寸法の代表値の推定精度をより高めることができる。換言すると、一致確率を推定寸法の代表値の算出に用いるということは、推定対象者の体形と衣服サイズとのずれの度合いを加味して代表値を算出することになる。より具体的には、推定衣服サイズが“Ｓ”と算出された場合において、一致確率が低いほど推定対象者の体形は衣服サイズ“Ｍ”に近いことを示している。そこで、推定寸法の代表値の算出に一致確率を用いることで、当該代表値が推定対象者に対応するより適切な値、すなわち衣服サイズ“Ｍ”に近い値として算出される。
【００９８】
推定寸法の代表値の算出方法の一例として、下記数式（１４），（１５）に示すように、一致確率を閾値として用い、この閾値を境に異なる算出式を用いるものがある。数式（１４），（１５）は、衣服の腕部寸法の代表値の算出式の例であり、Larmは腕部長軸長さ、FATarmは腕部脂肪量、WEIGHTarmは腕部重量であり、これらの値は平均値として衣服サイズ毎にサイズデータベース６２に予め記憶されている。すなわち、一致確率演算部６４によって算出された一致確率Ptが予め定められた一致確率以上であった場合には、数式（１４）によって推定寸法の代表値が算出され、一致確率Ptが予め定められた一致確率未満であった場合には、数式（１５）によって推定寸法の代表値が算出される。
【００９９】
【数１０】
2020190043.tif 000012
【０１００】
また、推定寸法の代表値の算出方法の他の例として、例えば、下記数式（１６）のように一致確率Ｐｔを関数の変数として加えてもよい。
【数１１】
2020190043.tif 000013
【０１０１】
このようにして適性度演算部５６によって算出された一致確率や修正度といった適性度は、推定衣服サイズと共に推定結果送信部５８に出力される。
【０１０２】
推定結果送信部５８は、衣服サイズ推定部５４によって推定された推定衣服サイズ、適性度演算部５６によって演算された一致確率や修正度を、通信回線を介して計測装置１２及び店舗端末１４へ送信する。
【０１０３】
また、データベース更新部６０は、サイズデータベース６２に対して、サイズデータが対応付けられた新たな体組成データを追加（登録）して更新する。なお、サイズデータベース６２にアクセス可能な情報処理装置は予め定められており、当該情報処理装置からデータベースに新たに追加される体組成データとサイズデータの組み合わせがデータベース更新部６０に入力される。これより、サイズデータベース６２は逐次更新され、推定対象者の推定衣服サイズの推定精度が向上される。なお、サイズデータベース６２の更新は、一例として、着用物サイズ取得システム１０のサービスの運用者（提供者）によって行われる。なお、サイズデータベース６２は登録されている体組成データとサイズデータの組み合わせが削除されてもよい。
【０１０４】
図４は、サーバ１６によって実行される衣服サイズ推定処理（衣服サイズ推定プログラム）の流れを示すフローチャートである。
【０１０５】
まず、ステップＳ１００では、計測装置１２から対象者生体情報が入力されたか否かを体組成データ取得部５２が判定し、肯定判定の場合は対象者生体情報を取得したとしてステップＳ１０２へ移行する。否定判定の場合は、対象者生体情報が入力されるまで待ち状態となる。
【０１０６】
なお、計測装置１２が対象者生体情報をサーバ１６へ送信する場合には、推定対象者が計測装置１２のタッチパネルディスプレイ２０を介して、衣服サイズ推定処理の実行を選択した場合である。衣服サイズ推定処理を実行する場合には、店舗の顧客である推定対象者は、例えば、店舗における会員番号や自身の氏名等の顧客を識別するための識別情報を入力する。
【０１０７】
ステップＳ１０２では、サイズデータベース６２に含まれる体組成データと取得した対象者生体情報とに基づいて、衣服サイズ推定部５４が推定対象者の衣服サイズを推定する。
【０１０８】
次のステップＳ１０４では、推定衣服サイズの推定対象者に対する適正度として、適性度演算部５６が一致確率及び修正度を演算する。
【０１０９】
次のステップＳ１０６では、推定結果送信部５８が推定衣服サイズ、一致確率及び修正度を計測装置１２及び店舗端末１４に送信する。計測装置１２のタッチパネルディスプレイ２０と店舗端末１４のタッチパネルディスプレイ１５には、推定衣服サイズ、一致確率及び修正度が表示される。
【０１１０】
これにより、顧客は、店員に頼ることなく、自身に適した衣服サイズを確認できる。また、店員も顧客の推定衣服サイズや一致確率及び修正度を確認するので、店員は、顧客に対して必要に応じて衣服の選択を支援（以下「衣服選択支援」という。）することができる。なお、店舗端末１４には推定衣服サイズ等と共に、顧客が計測装置１２による計測を行った時間や顧客が入力した識別情報等が表示される。これにより、店員は、推定衣服サイズの推定を行った顧客を識別できる。
【０１１１】
また、店舗端末１４への推定衣服サイズ等の送信は常に行われるのでは無く、例えば、下記条件の何れかを満たした場合であってもよい。これにより、店員は、顧客が必要とすると考えられる場合にのみ、顧客に声をかけて衣服選択支援を行うことができる。また、自身の体組成データや推定衣服サイズ等を、店員や店舗に知られることを望まない顧客であっても、本システムを使用することができる。
（１）顧客が計測装置１２による計測を終了してから所定時間Ｔ１が経過した場合
（２）一致確率が所定値Ｐ未満の場合
（３）修正度が所定値Ｍ以上の場合
（４）顧客が“修正が必要”又は店員に対して“選択補助の要求”を選択した場合
（５）顧客の店舗での滞在時間が所定時間Ｔ２を経過した場合
（６）顧客が「推定衣服サイズの送信」を選択した場合
【０１１２】
（１），（５）の条件は、顧客が衣服の購入に対して迷っていると考えられる場合である。なお、所定時間Ｔ１，Ｔ２の判断は、例えば、店舗内に設置されているカメラによって顧客の顔が認識され、当該顧客が計測を終了してからの経過時間や店舗内に入店したからの経過時間を計時することで行われる。また、（２），（３）の条件は、推定衣服サイズが顧客に適していない可能性があり、このような場合には店員による選択支援が必要とされる。（４）の条件は、推定衣服サイズが適性でない可能性を顧客が感じている場合である。（６）は、推定衣服サイズの適否にかかわらず顧客が自ら店員と相談して衣服を購入したい場合である。なお、顧客が「推定衣服サイズの送信」を選択した場合で、かつ（１）〜（５）の条件を満たした場合に店舗端末１４に推定衣服サイズ等の送信が行われてもよい。
【０１１３】
なお、衣服サイズ推定部５４によって推定された推定衣服サイズ、適性度演算部５６によって演算された一致確率や修正度は情報処理装置によって出力されればよく、例えば計測装置１２又は店舗端末１４に接続された印刷装置によって記録媒体に印刷されてもよい。また、計測装置１２には推定衣服サイズのみが送信され、店舗端末１４に推定衣服サイズ、一致確率及び修正度が送信されてもよい。
【０１１４】
以上説明したように、本実施形態の着用物サイズ取得システム１０は、推定対象者の体組成データを示す対象者生体情報に基づいて、推定対象者の衣服サイズを推定し、推定した衣服サイズが推定対象者に対して適正であるかを求める。従って、本実施形態の着用物サイズ取得システム１０は、衣服の購入者である顧客が自身にとって適正な衣服サイズを簡易に取得できる。
【０１１５】
なお、本実施形態のサイズデータベース６２は、一つだけではなく、複数設けられてもよい。メーカーやブランド等によっては、衣服サイズの表記が異なっていたり、表記が他のメーカー等と同じであっても衣服の実際の寸法が若干異なる場合があるためである。そこで、サイズデータベース６２は、衣服のメーカーやブランド、ファッションカテゴリ毎に設けられてもよい。この形態の場合、顧客である推定対象者が計測装置１２による計測を行う際に、タッチパネルディスプレイ２０に店舗が取り扱っている衣服のメーカーやブランドの名称が表示される。そして推定対象者は自身が購入したい衣服のメーカーやブランドを選択し、着用物サイズ取得システム１０に衣服サイズ推定処理を実行させる。これにより、着用物サイズ取得システム１０は、選択されたメーカーやブランドに対応するサイズデータベース６２を用いて衣服サイズ推定処理を実行する。
【０１１６】
また、サイズデータベース６２は、店舗毎に設けられてもよい。この形態の場合、店舗端末１４を介して店員がサイズデータベース６２の生成や更新等を行ってもよい。具体的には、店舗で取り扱うメーカーやブランド等の衣服のみがサイズデータベース６２に登録され、取り扱わなくなった又は在庫が無くなったメーカーやブランドの衣服がサイズデータベース６２から削除される。
【０１１７】
また、メーカーやブランド毎のサイズデータベース６２を備える着用物サイズ取得システム１０は、推定対象者の対象者生体情報や過去の購入履歴に応じて、購入を推奨するメーカーやブランド等の衣服を推定衣服サイズと共に推定対象者に提示してもよい。
【０１１８】
また、本実施形態ではサーバ１６が衣服サイズ推定処理を実行する形態について説明したが、これに限らず、計測装置１２が図２に示される機能を有し、衣服サイズ推定処理を実行してもよい。この形態の場合、例えば、計測装置１２と店舗端末１４とはＢｌｕｅｔｏｏｔｈ（登録商標）等の近距離通信によりデータの送受信が可能とされ、計測装置１２が算出した推定衣服サイズや適性度は計測装置１２から店舗端末１４へ送信される。一方、サーバ１６はサイズデータベース６２を記憶すると共にデータベース更新部６０を備え、サイズデータベース６２を逐次更新する。そして、計測装置１２は店舗端末１４を介して新たなサイズデータベース６２をサーバ１６から取得して記憶する。
【０１１９】
（第２実施形態）
本発明の第２実施形態について説明する。上述した第１実施形態は計測装置１２が店舗に設置される形態について説明したが、本実施形態では計測装置１２が推定対象者の自宅に設置される形態について説明する。
【０１２０】
図５は、本実施形態の着用物サイズ取得システム１０の概略構成図である。なお、図５における図１と同様の構成は、同じ符号を付してその説明を省略する。本実施形態では、一例として、電源のオンやオフ、機能の切り替え、及び計測結果を表示する簡易な入出力部３５を本体部３０に備える。また、推定対象者が所持するスマートフォン等の情報処理装置（以下「ユーザ端末」という。）１８と計測装置１２とは近距離通信によりデータの送受信が可能とされ、計測装置１２による対象者生体情報はユーザ端末１８へ送信される。そして、推定対象者がユーザ端末１８を介して衣服サイズ推定処理の実行を入力した後に計測された推定対象者の対象者生体情報がサーバ１６へ送信され、サーバ１６によって衣服サイズ推定処理が行われる。サーバ１６によって算出された推定衣服サイズは、ユーザ端末１８に送信されてユーザ端末１８のタッチパネルディスプレイ１９に表示される。
【０１２１】
図６は、本実施形態の着用物サイズ取得システム１０の電気的構成を示す機能ブロック図である。なお、図６における図２と同様の機能ブロックは、同じ符号を付してその説明を省略する。
【０１２２】
本実施形態の着用物サイズ取得システム１０は、記憶部５０にユーザデータベース６８を備える。ユーザデータベース６８は、推定対象者毎に設けられており、推定対象者が過去に行った衣服サイズ推定処理の推定結果及び対象者生体情報が日付と共に記憶されている。このため、体組成データ取得部５２は、対象者生体情報を取得する毎にユーザデータベース６８に対象者生体情報を記憶させる。また、衣服サイズ推定部５４も推定衣服サイズを推定する毎に推定に用いた対象者生体情報に対応付けて推定衣服サイズをユーザデータベース６８に記憶させる。
【０１２３】
さらに、本実施形態の着用物サイズ取得システム１０は、サイズ変化時期推定部７０を備えている。サイズ変化時期推定部７０は、以前に取得された対象者生体情報と新たに取得された対象者生体情報とに基づいて、推定対象者の被服サイズが変化する時期（以下「サイズ変化時期」という。）を推定する。換言すると、サイズ変化時期推定部７０は、推定対象者の体組成データの変化傾向から衣服サイズが変わりそうなタイミングを推定する。すなわち、サイズ変化時期は推定対象者の体形変化を示す指標であり、推定対象者はサイズ変化時期を確認することで自身の体形の変化を認識できる。
【０１２４】
サイズ変化時期推定部７０は、例えば、以前に取得された対象者生体情報と新たに取得された対象者生体情報との近似線に基づいた外挿により、将来において推定対象者の被服サイズが変化する時期を推定する。そして、推定されたサイズ変化時期は推定結果送信部５８へ出力される。
【０１２５】
推定結果送信部５８は、推定衣服サイズ等と共にサイズ変化時期をユーザ端末１８に送信する。
【０１２６】
図７は、本実施形態のサーバ１６によって実行される衣服サイズ推定処理（衣服サイズ推定プログラム）の流れを示すフローチャートである。
【０１２７】
まず、ステップＳ２００では、ユーザ端末１８から計測装置１２による対象者生体情報が入力されたか否かを体組成データ取得部５２が判定し、肯定判定の場合は対象者生体情報を取得したとしてステップＳ２０２へ移行する。否定判定の場合は、対象者生体情報が入力されるまで待ち状態となる。
【０１２８】
ステップＳ２０２では、取得した対象者生体情報を体組成データ取得部５２がユーザデータベース６８に記憶させる。
【０１２９】
ステップＳ２０４では、サイズデータベース６２に含まれる体組成データと取得した対象者生体情報とに基づいて、衣服サイズ推定部５４が推定対象者の衣服サイズを推定する。
【０１３０】
次のステップＳ２０６では、推定衣服サイズの推定対象者に対する適正度として、一致確率及び修正度を適性度演算部５６が演算する。
【０１３１】
次のステップ２０８では、サイズ変化時期をサイズ変化時期推定部７０が推定する。
【０１３２】
次のステップＳ２１０では、推定衣服サイズ、一致確率、修正度、及びサイズ変化時期を推定結果送信部５８が推定対象者のユーザ端末１８に送信する。これにより、ユーザ端末１８のタッチパネルディスプレイ１９には、推定衣服サイズ、一致確率、修正度、及びサイズ変化時期が表示される。従って、推定対象者は、自身に適した衣服サイズを認識できると共に、体形の変化により衣服サイズが変化すると推定される場合にはその変化時期を認識できる。
【０１３３】
なお、例えば、推定対象者の被服サイズが所定期間内（例えば半年以内）に変化しないと推定される場合には、サイズ変化時期として“衣服サイズの変化なし”とのように表示されてもよい。換言すると、上記所定期間内に衣服サイズが変化する場合にその変化時期が表示される。
【０１３４】
また、本実施形態の着用物サイズ取得システム１０は、推定対象者の推定被服サイズやサイズ変化時期を推定対象者が予め登録した店舗の情報処理装置に送信（通知）してもよい。これにより、店舗の店員は、推定対象者の来店時に推定対象者の体形を採寸する作業を行うことなく、より適切な衣服の選択補助が可能となる。
【０１３５】
なお、店舗の情報処理装置への推定衣服サイズやサイズ変化時期等の送信は、例えば、下記条件の何れかを満たした場合であってもよい。
（１）推定対象者の前回購入時における推定衣服サイズ又は実際に購入した衣服サイズと新たな推定衣服サイズとが異なり、新たな推定衣服サイズの一致確率が所定値Ｐ以上の場合
（２）推定対象者の前回計測時における身長や腹囲等の入力値や対象者生体情報等、衣服のサイズを判断するために必要な値が衣服サイズの変更を要するほど変化した場合
【０１３６】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記第１実施形態と第２実施形態の着用物サイズ取得システム１０の構成は、適宜組み合わされて実施されてもよい。
【０１３７】
例えば、上記実施形態では着用物を衣服とする形態について説明したが、本発明はこれに限られず、着用物は推定対象者が着用するものであれば、靴下、手袋、靴、帽子、スキー靴、スノーボード靴等、他の着用物であってもよい。
【０１３８】
また、着用物サイズ取得システム１０は、算出された一致確率と共に推定被服サイズの結果が適切であったか否かを推定対象者がフィードバックする手段を設けてもよい。これにより、推定対象者の対象者生体情報と推定対象者が適正と判断した衣服サイズがサイズデータベース６２に登録される。なお、フィードバックされる情報には、推定対象者が実際に試着や購入した衣服の情報（例えば衣服のメーカー、ブランド、型番、デザイン等）がさらに追加されてもよい。
【０１３９】
また、上記実施形態ではサーバ１６又は計測装置１２が衣服サイズ推定処理を実行する形態について説明したが、店舗端末１４又はユーザ端末１８が衣服サイズ推定処理を実行してもよい。この形態の場合、店舗端末１４又はユーザ端末１８は計測装置１２から対象者生体情報を受信し、対象者生体情報に基づいて衣服サイズ推定処理を実行する。なお、サイズデータベース６２はサーバ１６から店舗端末１４又はユーザ端末１８へ適宜ダウンロードされ、店舗端末１４又はユーザ端末１８に記憶される。なお、第２実施形態のユーザデータベース６８はサーバ１６に記憶されずに、ユーザ端末１８に記憶されてもよい。
【０１４０】
また、上記実施形態ではサイズデータベース６２において複数の体組成データ毎にサイズデータが対応付けられているが、さらに、色彩及び模様等の少なくとも１つが含まれる衣服のデザインに関するデザインデータが体組成データ毎に対応付けられてもよい。一例として、対象者生体情報である体組成から推定される体型に適すると想定される衣服のデザインデータが、複数の体組成データ毎にサイズデータと共に対応付けられる。具体的には、例えば、推定される体型が太めである体組成データに対しては、収縮色が色彩（デザインデータ）として対応付けられ、推定される体型が太めである体組成データに対しては、ストライプが模様（デザインデータ）として対応付けられる。
【０１４１】
そして、推定されたサイズデータと共にデザインデータが、計測装置１２のタッチパネルディスプレイ２０に表示されることで推定対象者に提示される。なお、一つの体組成データに対して複数のデザインデータが対応付けられてもよく、推定対象者の過去の購入履歴に基づいて一又は複数のデザインデータが推定対象者に提示されてもよい。
【０１４２】
また、上記実施形態では衣服サイズ推定部５４が衣服サイズを推定する形態について説明したが、これに限らず、衣服サイズ推定部５４は、上述した推定対象者の衣服サイズを推定する方法と同様の方法で、推定対象者の対象者生体情報に基づいて衣服のデザインを推定してもよい。
【０１４３】
この形態の場合、記憶部５０には複数の体組成データ毎にデザインデータが対応付けられたデータベース（以下「デザインデータベース」という。）が記憶される。そして、衣服サイズ推定部５４は、対象者生体情報とデザインデータベースとに基づいて、例えば上述した（１）ユークリッド距離に基づく推定、（２）近傍データ群から推定、（３）密度準拠クラスターから推定、等を用いて推定対象者の衣服のデザインを推定する。
【０１４４】
そして、推定されたサイズデータが、計測装置１２のタッチパネルディスプレイ２０に表示されることで推定対象者に提示される。なお、推定対象者のものとして推定されるデザインデータは複数であってもよく、推定対象者の過去の購入履歴に基づいて一又は複数のデザインデータが推定対象者に提示されてもよい。
【０１４５】
さらに、この形態の場合も適正度演算部５６は、上述した衣服サイズ推定部５４によって推定された推定対象者の衣服サイズが推定対象者に対して適正であるかを求める方法と同様の方法で、推定された衣服のデザインが推定対象者に対して適正であるかを求めてもよい。当然ながら、適正度演算部５６は、上述した一致確率及び修正度のうち、一致確率のみ求めてもよい。
【符号の説明】
【０１４６】
１０    着用物サイズ取得システム
１２    計測装置
５０    記憶部（記憶手段）
５２    体組成データ取得部（生体情報取得手段）
５４    衣服サイズ推定部（着用物サイズ推定手段）
５６    適性度演算部（適正度演算手段）
６２    サイズデータベース（データベース）
７０    サイズ変化時期推定部（サイズ変化時期推定手段）
【図１】
2020190043.tif 000014
【図２】
2020190043.tif 000015
【図３】
2020190043.tif 000016
【図４】
2020190043.tif 000017
【図５】
2020190043.tif 000018
【図６】
2020190043.tif 000019
【図７】
2020190043.tif 000020